(57)【要約】      （修正有）【課題】ジグソーパズルの完成品のサイズを大きくすることなく、個々のピースを組み付ける際の難易度を飛躍的に向上させることができるジグソーパズルを提供する。【解決手段】多数のピースを組み付けて絵柄や写真等の元の図柄を再現するジグソーパズルにおいて、完成時に所定の大きさに形成される第１のジグソーパズルＰ１と、同じく、完成時に所定の大きさに形成される第２のジグソーパズルＰ２から構成され、第１のジグソーパズルを形成する多数の第１ピースと、第２のジグソーパズルを形成する多数の第２ピースは、凹凸のパターン形状が若干異なっており、組み付ける前の状態において、多数の第１ピースと第２ピースが混在させて構成する。【選択図】図１
0003155675.tif 000002
【実用新案登録請求の範囲】
【請求項１】
多数のピースを組み付けて絵柄や写真等の元の図柄を再現するジグソーパズルにおいて、完成時に所定の大きさに形成される第１のジグソーパズルと、同じく、完成時に所定の大きさに形成される第２のジグソーパズルから構成され、第１のジグソーパズルを形成する多数の第１ピースと、第２のジグソーパズルを形成する多数の第２ピースは、凹凸のパターン形状が若干異なっており、組み付ける前の状態において、多数の第１ピースと第２ピースが混在していることを特徴とするジグソーパズル。
【請求項２】
多数のピースを組み付けて絵柄や写真等の元の図柄を再現するジグソーパズルにおいて、完成時に所定の大きさに形成される第１のジグソーパズルと、同じく、完成時に所定の大きさに形成される複数のジグソーパズルから構成され、第１のジグソーパズルを形成する多数の第１ピースと、複数のジグソーパズルを形成する多数の他のピースは、凹凸のパターン形状が若干異なっており、組み付ける前の状態において、多数の第１ピースと他のピースが混在していることを特徴とするジグソーパズル。
【請求項３】
第２ピースから成る第２のジグソーパズル、また、他のピースから成る複数のジグソーパズルは、完成時に第１のジグソーパズルよりも小さく形成されている請求項１または２に記載のジグソーパズル。
【請求項４】
第２ピースから成る第２のジグソーパズル、また、他のピースから成る複数のジグソーパズルは、完成時に第１のジグソーパズルと略同じ大きさに形成されている請求項１または２に記載のジグソーパズル。
【請求項５】
第２ピースから成る第２のジグソーパズルにおける図柄、また、他のピースから成る複数のジグソーパズルにおける図柄は、第１のジグソーパズルに描かれている図柄の一部を、その大きさ・色・質感等を変えることなくそのまま描写したものである請求項１乃至４のいずれかに記載のジグソーパズル。
【請求項６】
第２ピースから成る第２のジグソーパズルにおける図柄、また、他のピースから成る複数のジグソーパズルにおける図柄は、第１のジグソーパズルに描かれている図柄の一部を、その大きさ・色・質感等を変更して描写したものである請求項１乃至４のいずれかに記載のジグソーパズル。
【請求項７】
第２のジグソーパズルにおける図柄、また、他のピースから成る複数のジグソーパズルにおける図柄は、第１のジグソーパズルに描かれている図柄と異なるものである請求項１乃至４のいずれかに記載のジグソーパズル。
【請求項８】
第１のジグソーパズルを形成する第１ピースと、第２のジグソーパズルを形成する第２ピースおよび複数のジグソーパズルを形成する他のピースは、略同じ大きさに形成されている請求項１乃至７のいずれかに記載のジグソーパズル。
【請求項９】
第１のジグソーパズルを形成する第１ピースと、第２のジグソーパズルを形成する第２ピースおよび複数のジグソーパズルを形成する他のピースは、異なる大きさに形成されている請求項１乃至７のいずれかに記載のジグソーパズル。
【請求項１０】
多数のピースを組み付けて絵柄や写真等の元の図柄を再現するジグソーパズルにおいて、完成時に所定の大きさに形成される、多数の第１ピースから成る第１のジグソーパズルと、この第１のジグソーパズルに用いられることのない他のピースから構成され、第１ピースと他のピースは、凹凸のパターン形状が若干異なっており、ピースを組み付ける前の状態において、多数の第１ピースと他のピースが混在しているジグソーパズル。
【考案の詳細な説明】
【技術分野】
【０００１】
本考案は、多数のピースを組み付けて絵柄や写真等の元の図柄を再現して楽しむジグソーパズルにおいて、個々のピースを組み付ける際の難易度を飛躍的に向上させたジグソーパズルに関するものである。
【背景技術】
【０００２】
ジグソーパズルは、厚紙等に印刷した種々の絵柄や写真等の図柄を、組み付け可能な複数のピースに切り離し、これらの個々のピースを組み付けて、元の図柄を再現する玩具である。
【０００３】
遊戯者は、包装箱の表面等に印刷されている種々の絵柄や写真等の図柄を見ながら、ばらばらになっている個々のピースの中から、隣り合うピースを見つけ出して組み付け、元の図柄を造っていくのである。
【０００４】
このようなジグソーパズルにおいて、個々のピースを組み付ける際の難易度を向上させる手段としては、例えば、ピースの数を増やす措置が考えられるが、ピースの数が増えると、完成品のサイズが大きくなってしまう弊害が生じる。
【０００５】
また、個々のピース自体のサイズを小さくしてピースの数を増やす措置も考えられるが、ピースサイズの小型化にも限界がある。
【０００６】
そこで、実用新案登録第３０２７９９１号公報（特許文献１）に示すように、隣り合うピース自体の形状に工夫を加えて、個々のピースを組み付ける際の難易度を向上させているジグソーパズルが存在している。
【０００７】
このジグソーパズルは、完成品のサイズと、ピース自体のサイズを変えることなく、個々のピースを組み付ける際の難易度を向上させたもので、全てのピースについて、縦横同一の全て同じ凹凸のパターン形状にすることにより、組み付けるピースを形状に基づいて判断できないようにしている。
【先行技術文献】
【特許文献】
【０００８】
【特許文献１】実用新案登録第３０２７９９１号公報
【考案の概要】
【考案が解決しようとする課題】
【０００９】
しかしながら、特許文献１に示すジグソーパズルでは、組み付けるピースを形状に基づいて判断することはできないが、ジグソーパズルを構成する各ピースには、種々の絵柄や写真等の図柄が印刷されていることから、この図柄を注意深く観察することにより、隣り合うピースを見つけ出して組み付けることは、依然として可能である。
【００１０】
その結果、各ピースに特徴のある図柄が印刷されている場合等において、遊戯者がジグソーパズルを比較的に短時間で完成してしまうことがあり、時として、ジグソーパズルの完成時に充分な達成感を得られない事態が生じていた。
【００１１】
このような事態の発生を回避し、個々のピースを組み付ける際の難易度を向上させるには、絵柄等における特徴のある描写部分を少なくしたり、色数等の要素を減らすしかない。
【００１２】
しかし、このような措置をとると、個々のピースを組み付けて元の図柄を再現しながら楽しむ、ジグソーパズル自体の面白みに欠けることになってしまう。
【００１３】
そこで、本考案は如上のような従来存した諸事情に鑑み創出されたもので、多数のピースを組み付けて絵柄や写真等の元の図柄を再現して楽しむジグソーパズルにおいて、ジグソーパズルの完成品のサイズを大きくすることなく、また、図柄等における特徴のある描写部分を少なくすることなく、個々のピースを組み付ける際の難易度を飛躍的に向上させることができるジグソーパズルを提供することを目的とする。
【課題を解決するための手段】
【００１４】
本考案は、多数のピースを組み付けて絵柄や写真等の元の図柄を再現するジグソーパズルにおいて、完成時に所定の大きさに形成される第１のジグソーパズルと、同じく、完成時に所定の大きさに形成される第２のジグソーパズルから構成され、第１のジグソーパズルを形成する多数の第１ピースと、第２のジグソーパズルを形成する多数の第２ピースは、凹凸のパターン形状が若干異なっており、組み付ける前の状態において、多数の第１ピースと第２ピースが混在していることで、上述した課題を解決した。
【００１５】
また、本考案は、多数のピースを組み付けて絵柄や写真等の元の図柄を再現するジグソーパズルにおいて、完成時に所定の大きさに形成される第１のジグソーパズルと、同じく、完成時に所定の大きさに形成される複数のジグソーパズルから構成され、第１のジグソーパズルを形成する多数の第１ピースと、複数のジグソーパズルを形成する多数の他のピースは、凹凸のパターン形状が若干異なっており、組み付ける前の状態において、多数の第１ピースと他のピースが混在していることで、同じく上述した課題を解決した。
【００１６】
さらに、第２ピースから成る第２のジグソーパズル、また、他のピースから成る複数のジグソーパズルは、完成時に第１のジグソーパズルよりも小さく形成されていることで、同じく上述した課題を解決した。
【００１７】
また、第２ピースから成る第２のジグソーパズル、また、他のピースから成る複数のジグソーパズルは、完成時に第１のジグソーパズルと略同じ大きさに形成されていることで、同じく上述した課題を解決した。
【００１８】
加えて、第２ピースから成る第２のジグソーパズルにおける図柄、また、他のピースから成る複数のジグソーパズルにおける図柄は、第１のジグソーパズルに描かれている図柄の一部を、その大きさ・色・質感等を変えることなくそのまま描写したものであることで、同じく上述した課題を解決した。
【００１９】
また、第２ピースから成る第２のジグソーパズルにおける図柄、また、他のピースから成る複数のジグソーパズルにおける図柄は、第１のジグソーパズルに描かれている図柄の一部を、その大きさ・色・質感等を変更して描写したものであることで、同じく上述した課題を解決した。
【００２０】
この他、第２のジグソーパズルにおける図柄、また、他のピースから成る複数のジグソーパズルにおける図柄は、第１のジグソーパズルに描かれている図柄と異なるものであることで、同じく上述した課題を解決した。
【００２１】
また、第１のジグソーパズルを形成する第１ピースと、第２のジグソーパズルを形成する第２ピースおよび複数のジグソーパズルを形成する他のピースは、略同じ大きさに形成されていることで、同じく上述した課題を解決した。
【００２２】
さらに、第１のジグソーパズルを形成する第１ピースと、第２のジグソーパズルを形成する第２ピースおよび複数のジグソーパズルを形成する他のピースは、異なる大きさに形成されていることで、同じく上述した課題を解決した。
【００２３】
また、本考案は、多数のピースを組み付けて絵柄や写真等の元の図柄を再現するジグソーパズルにおいて、完成時に所定の大きさに形成される、多数の第１ピースから成る第１のジグソーパズルと、この第１のジグソーパズルに用いられることのない他のピースから構成され、第１ピースと他のピースは、凹凸のパターン形状が若干異なっており、ピースを組み付ける前の状態において、多数の第１ピースと他のピースが混在していることで、同じく上述した課題を解決した。
【考案の効果】
【００２４】
本考案は、多数のピースを組み付けて絵柄や写真等の元の図柄を再現するジグソーパズルにおいて、完成時に所定の大きさに形成される第１のジグソーパズルと、同じく、完成時に所定の大きさに形成される第２のジグソーパズルから構成されており、組み付ける前の状態において、第１のジグソーパズルを形成する多数の第１ピースと、第２のジグソーパズルを形成する多数の第２ピースが混在していることから、個々のピースを組み付ける際の難易度を飛躍的に向上させることができる。
【００２５】
具体的には、完成時に所定の大きさに形成される第１のジグソーパズルと、同じく、完成時に所定の大きさに形成される第２のジグソーパズルから構成されており、組み付ける前の状態において、第１のジグソーパズルを形成する多数の第１ピースと、第２のジグソーパズルを形成する多数の第２ピースが混在していることから、遊戯者は、手に持ったピースが元の図柄のどの部分に該当するのかを考えると同時に、そのピースが第１のジグソーパズルのものか、第２のジグソーパズルのものかを判断しなければならないため、個々のピースを組み付ける際の思考に要する労力が大幅にアップするのである。
【００２６】
その結果、遊戯者は、ジグソーパズルの完成までに比較的に長時間を要することとなり、ジグソーパズルを完成した時に、充分な達成感を得ることができる。
【００２７】
また、第１のジグソーパズルを形成する多数の第１ピースと、第２のジグソーパズルを形成する多数の第２ピースは、凹凸のパターン形状が若干異なっていることから、遊戯者は、手に持ったピースが第１のジグソーパズルのものか、第２のジグソーパズルのものかを判断する要素が若干増え、組み付けの難易度が高い状況において、隣り合うピースを発見する過程を楽しむことができる。
【００２８】
さらに、本考案は、多数のピースを組み付けて絵柄や写真等の元の図柄を再現するジグソーパズルにおいて、完成時に所定の大きさに形成される第１のジグソーパズルと、同じく、完成時に所定の大きさに形成される複数のジグソーパズルから構成されおり、組み付ける前の状態において、第１のジグソーパズルを形成する多数の第１ピースと、複数のジグソーパズルを形成する多数のその他のピースが混在していることから、遊戯者は、手に持ったピースが元の図柄のどの部分に該当するのかを考えると同時に、そのピースが第１のジグソーパズルのものか、複数のジグソーパズルのものか、さらには、複数のジグソーパズルにおけるいずれのジグソーパズルのものかを判断しなければならないため、個々のピースを組み付ける際の思考に要する労力が大幅にアップしている。
【００２９】
また、第２ピースから成る第２のジグソーパズル、また、他のピースから成る複数のジグソーパズルは、完成時に第１のジグソーパズルよりも小さく形成されていることから、遊戯者は、比較的に大きな第１のジグソーパズルと、それよりも小さい第２のジグソーパズル、また、第１のジグソーパズルよりも小さい複数のジグソーパズルを完成させることとなる。
【００３０】
その結果、大きさの異なる第１のジグソーパズルと第２のジグソーパズルを飾り付ける場所を適宜選択して、両ジグソーパズルを素敵なインテリアとして活用することができる。同様に、複数のジグソーパズルについても、飾り付ける場所を適宜選択して楽しむことができる。
【００３１】
加えて、第２ピースから成る第２のジグソーパズル、また、他のピースから成る複数のジグソーパズルは、完成時に第１のジグソーパズルと略同じ大きさに形成されているときにも、完成したジグソーパズルについて、飾り付ける場所を適宜選択して楽しむことができる。
【００３２】
また、第２ピースから成る第２のジグソーパズルにおける図柄、また、他のピースから成る複数のジグソーパズルにおける図柄は、第１のジグソーパズルに描かれている図柄の一部を、その大きさ・色・質感等を変えることなくそのまま描写したものであることから、その図柄を見ただけでは、手に持ったピースが第１のジグソーパズルのものか、第２のジグソーパズルのものか、また、他のピースから成る複数のジグソーパズルにおけるものかを判断することはできないため、個々のピースを組み付ける際の難易度が飛躍的に向上している。
【００３３】
これに対し、第２ピースから成る第２のジグソーパズルにおける図柄、また、他のピースから成る複数のジグソーパズルにおける図柄は、第１のジグソーパズルに描かれている図柄の一部を、その大きさ・色・質感等を変更して描写したものであるときには、手に持ったピースが第１のジグソーパズルのものか、第２のジグソーパズルのものか、また、他のピースから成る複数のジグソーパズルにおけるものかを判断する要素が若干増え、個々のピースを組み付ける際の難易度を調整することができる。
【００３４】
また、第２のジグソーパズルにおける図柄、また、他のピースから成る複数のジグソーパズルにおける図柄は、第１のジグソーパズルに描かれている図柄と異なるものであるときには、手に持ったピースが第１のジグソーパズルのものか、第２のジグソーパズルのものか、また、他のピースから成る複数のジグソーパズルにおけるものかを、比較的に判断し易くなり、個々のピースを組み付ける際の難易度を調整することができる。
【００３５】
さらに、第１のジグソーパズルを形成する第１ピースと、第２のジグソーパズルを形成する第２ピースおよび複数のジグソーパズルを形成する他のピースは、略同じ大きさに形成されていることから、個々のピースにおける図柄と、凹凸のパターン形状を注意深く観察して、手に持ったピースが第１のジグソーパズルのものか、第２のジグソーパズルのものか、また、他のピースから成る複数のジグソーパズルにおけるものかを判断しなければならず、個々のピースを組み付ける際の難易度がさらに飛躍的に向上している。
【００３６】
これに対し、第１のジグソーパズルを形成する第１ピースと、第２のジグソーパズルを形成する第２ピースおよび複数のジグソーパズルを形成する他のピースは、異なる大きさに形成されているときには、手に持ったピースが第１のジグソーパズルのものか、第２のジグソーパズルのものか、また、他のピースから成る複数のジグソーパズルにおけるものかを判断する要素が若干増え、個々のピースを組み付ける際の難易度を調整することができる。
【００３７】
この他、本考案は、多数のピースを組み付けて絵柄や写真等の元の図柄を再現するジグソーパズルにおいて、完成時に所定の大きさに形成される、多数の第１ピースから成る第１のジグソーパズルと、この第１のジグソーパズルに用いられることのない他のピースから構成され、第１ピースと他のピースは、凹凸のパターン形状が若干異なっており、ピースを組み付ける前の状態において、多数の第１ピースと他のピースが混在していることから、遊戯者は、手に持ったピースが第１のジグソーパズルにおける第１ピースのものか、他のピースのものかを注意深く観察して判断しなければならず、個々のピースを組み付ける際の難易度が向上している。
【００３８】
このように、本考案によれば、ジグソーパズルの完成品のサイズを大きくすることなく、また、図柄等における特徴のある描写部分を少なくしたり、色数等の要素を減らすことなく、個々のピースを組み付ける際の難易度を飛躍的に向上させることができる。
【図面の簡単な説明】
【００３９】
【図１】ジグソーパズルの構成を示すもので、（ａ）は第１のジグソーパズルの平面図、（ｂ）は第２のジグソーパズルの平面図である。
【図２】ジグソーパズルの構成を示すもので、（ａ）は第１のジグソーパズルの上に第２のジグソーパズルを重ねている状態の平面図、（ｂ）は第１のジグソーパズルの上に第２のジグソーパズルを重ねている状態の側面図である。
【図３】第１のジグソーパズルの上に第２のジグソーパズルを重ねる状態を示す分解斜視図である。
【図４】第１のジグソーパズルの上に第２のジグソーパズルを重ねている状態を示す斜視図である。
【図５】ピースの形状を示すもので、（ａ）は第２のジグソーパズルを構成する個々のピースの形状を示す平面図、（ｂ）は第１のジグソーパズルを構成する個々のピースの形状を示す平面図である。
【図６】ジグソーパズルの他の構成例を示すもので、（ａ）は第１のジグソーパズルの上に、第２のジグソーパズルを２個配置している状態の斜視図、（ｂ）は第１のジグソーパズルの上に、略円形状の第２のジグソーパズルを配置している状態の斜視図である。
【図７】ジグソーパズルの他の構成例を示すもので、（ａ）は第１のジグソーパズルの上に、複数のジグソーパズル（第２のジグソーパズルと第３のジグソーパズル）を重ねている状態を示す平面図、（ｂ）は第１のジグソーパズルの上に、複数のジグソーパズル（第２のジグソーパズルと第３のジグソーパズル）を重ねている状態を示す側面図である。
【図８】第１のジグソーパズルの上に、複数のジグソーパズル（第２のジグソーパズルと第３のジグソーパズル）を重ねる状態を示す分解斜視図である。
【図９】第１のジグソーパズルの上に、複数のジグソーパズル（第２のジグソーパズルと第３のジグソーパズル）を重ねている状態を示す斜視図である。
【考案を実施するための形態】
【００４０】
以下に、図面を参照して、本考案を実施するための形態を詳細に説明する。
【００４１】
本考案は、図１乃至図４に示すように、多数のピースを組み付けて絵柄や写真等の元の図柄を再現するジグソーパズルＰにおいて、完成時に所定の大きさに形成される第１のジグソーパズルＰ１と、同じく、完成時に所定の大きさに形成される第２のジグソーパズルＰ２から構成されている。
【００４２】
具体的には、図１（ａ）（ｂ）に示すように、完成時に比較的に大きな方形状に形成される第１のジグソーパズルＰ１と、完成時に第１のジグソーパズルよりも小さな方形状に形成される第２のジグソーパズルＰ２から構成されている。
【００４３】
尚、図１（ａ）（ｂ）に示す第１のジグソーパズルＰ１と第２のジグソーパズルＰ２は、第１のジグソーパズルＰ１を比較的に大きく形成しているが、これに限定されることはなく、第１のジグソーパズルＰ１と第２のジグソーパズルＰ２を略同じ大きさに形成しても良い。
【００４４】
ジグソーパズルＰは、多数のピースを組み付けて、絵柄や写真等の元の図柄を再現する玩具である。個々のピースは、例えば、図５（ａ）（ｂ）に示すように、全体が略方形状に形成されており、隣り合うピース（Ｆ・Ｓ）において、ピース（Ｆ・Ｓ）の２辺乃至４辺の凹凸のパターンを合わせながら嵌め込んでいく。
【００４５】
そして、図５（ａ）（ｂ）に示すように、第２のジグソーパズルＰ２を形成する第２ピースＳと、第１のジグソーパズルＰ１を形成する第１ピースＦは、凹凸のパターン形状が若干異なっている。
【００４６】
その為、個々のピース（Ｆ・Ｓ）を組み付けていくときには、第１ピースＦ同士を組み付けていく。このとき、第１ピースＦに、第２ピースＳを組み付けることはできない。同様に、第２ピースＳ同士を組み付けていき、第２ピースＳに第１ピースＦを組み付けることはできない。
【００４７】
また、個々のピース（Ｆ・Ｓ）を組み付ける前の状態においては、第１のジグソーパズルＰ１を形成する多数の第１ピースＦと、第２のジグソーパズルＰ２を形成する多数の第２ピースＳは、所定の袋内等において混在している。
【００４８】
尚、第１のジグソーパズルＰ１を形成する多数の第１ピースＦと、第２のジグソーパズルＰ２を形成する多数の第２ピースＳを、別の袋に入れておき、遊戯者が多数の第１ピースＦと第２ピースＳを混在させるようにしても良い。
【００４９】
このようにすると、遊戯者は、第１ピースＦと第２ピースＳの相違点を予め認識できる機会を得ることとなり、個々のピース（Ｆ・Ｓ）を組み付ける際の難易度を調整することができる。
【００５０】
以下に、本考案に係るジグソーパズルＰについて、図１乃至図４に示すように、大自然の中に宮殿が存在する図柄のものを一例として、その構成を説明する。
【００５１】
ジグソーパズルＰを構成する第１のジグソーパズルＰ１は、図１（ａ）・図３に示すように、空、樹木、芝生、花等が描かれている背景の中に、宮殿が存在する状態が、第１のジグソーパズルＰ１の図柄として描写されている。
【００５２】
また、ジグソーパズルＰを構成する第２のジグソーパズルＰ２は、図１（ｂ）・図３に示すように、主として宮殿が存在する状態が、第２のジグソーパズルＰ２の図柄として描写されている。
【００５３】
この第２のジグソーパズルＰ２の宮殿の図柄は、第１のジグソーパズルＰ１に描かれている宮殿とその周囲部分を、その大きさ・色・質感等を変えることなくそのまま描写したものである。
【００５４】
その為、図２（ａ）（ｂ）・図４に示すように、第１のジグソーパズルＰ１に描かれている宮殿とその周囲部分に第２のジグソーパズルＰ２を重ねると、空、樹木、芝生、花等が描かれている背景の中に、宮殿が存在する状態が再現された状態となる。
【００５５】
この図柄は、第１のジグソーパズルＰ１の図柄と完全に一致している。
【００５６】
その為、遊戯者は、宮殿とその周囲部分が描かれているピース（Ｆ・Ｓ）を手に持ったとき、その図柄を見ただけでは、第１のジグソーパズルの第１ピースＦであるのか、第２のジグソーパズルＰ２の第２ピースＳであるのかを判断することはできない。
【００５７】
その結果、遊戯者は、第１ピースＦと第２ピースＳにおける異なる凹凸のパターン形状を見つけ出して、そのいずれかであるかを判断しなければならず、個々のピース（Ｆ・Ｓ）を組み付ける際の難易度が飛躍的に向上している。
【００５８】
さらに、遊戯者には、第２のジグソーパズルＰ２に、第１のジグソーパズルＰ１のどの部分が描かれているかについて知らされていないため、その組み付けが一層困難なものとなっている。
【００５９】
また、第２のジグソーパズルＰ２における宮殿の図柄が、第１のジグソーパズルＰ１に描かれている宮殿とその周囲部分を、その大きさ・色・質感等を変えて描写したものであるときは、手に持ったピース（Ｆ・Ｓ）が第１のジグソーパズルのものか、第２のジグソーパズルＰ２のものかを判断する要素が若干増え、個々のピースを組み付ける際の難易度を調整することができる。
【００６０】
加えて、第２のジグソーパズルＰ２における図柄が、第１のジグソーパズルに描かれている図柄と異なるときは、手に持ったピース（Ｆ・Ｓ）が第１のジグソーパズルのものか、第２のジグソーパズルＰ２のものかを判断する要素がさらに若干増え、個々のピースを組み付ける際の難易度を調整することができる。
【００６１】
尚、図１乃至図４に示すジグソーパズルＰは、第１のジグソーパズルＰ１に対して、第２のジグソーパズルＰ２が単独に存在しているが、これに限定されることはない。例えば、図６（ａ）に示すように、第２のジグソーパズルＰ２が、２個存在するものであっても良い。
【００６２】
また、図１乃至図４に示すジグソーパズルＰは、第２のジグソーパズルＰ２が方形状に形成されているが、これに限定されることはなく、例えば、図６（ｂ）に示すように、第２のジグソーパズルＰ２を円形状に形成しても良い。
【００６３】
さらに、第２のジグソーパズルＰ２は、ジグソーパズルＰに描かれている図柄や、個々のピース（Ｆ・Ｓ）を組み付ける際の難易度に応じて、３個以上存在しても良い。また、第２のジグソーパズルＰ２の形状も、三角形、楕円形、五角形等、どのような形状であっても差し支えない。
【００６４】
この他、第２のジグソーパズルＰ２は、図５（ａ）に示す個々の第２ピースＳにより形成されている。これに対し、第１のジグソーパズルＰ１は、図５（ｂ）に示す個々の第１ピースＦにより形成されている。
【００６５】
第２のジグソーパズルＰ２を形成する個々の第２ピースＳは、図５（ａ）（ｂ）に示すように、その全体が、第１のジグソーパズルＰ１を形成する第１ピースＦよりも、若干小さく形成されている。
【００６６】
また、第２ピースＳを、第１ピースＦと略同じ大きさに形成することにより、個々のピース（Ｆ・Ｓ）を組み付ける際の難易度を向上させることができる。
【００６７】
例えば、第２のジグソーパズルＰ２の図柄が、第１のジグソーパズルＰ１に描かれている図柄の一部をそのまま描写したものである場合において、第２ピースＳと第１ピースＦが略同じ大きさであり、第２ピースＳの数が多い程（第２のジグソーパズルＰ２の全体形状が大きい程）、ジグソーパズルＰとして個々のピース（Ｆ・Ｓ）を組み付ける際の難易度が高くなる。
【００６８】
この他、図７（ａ）（ｂ）に示すように、ジグソーパズルＰを、完成時に所定の大きさに形成される第１のジグソーパズルと、同じく、完成時に所定の大きさに形成される複数のジグソーパズル（第２のジグソーパズルＰ２と第３のジグソーパズルＰ３）から構成しても良い。
【００６９】
具体的には、完成時の第２のジグソーパズルＰ２は、第１のジグソーパズルＰ１よりも小さく形成されている。また、完成時の第３のジグソーパズルＰ３は、第２のジグソーパズルＰ２よりも小さく形成されている。
【００７０】
このとき、図８・図９に示すように、第２のジグソーパズルＰ２における図柄は、第１のジグソーパズルＰ１に描かれている図柄の一部を、その大きさ・色・質感等を変えることなくそのまま描写したものである。
【００７１】
また、第３のジグソーパズルＰ３における図柄は、第１のジグソーパズルＰ１に描かれている図柄の一部（第２のジグソーパズルＰ２に描かれている図柄の一部を含む）を、その大きさ・色・質感等を変えることなくそのまま描写したものである。
【００７２】
具体的には、第２のジグソーパズルＰ２の宮殿の図柄は、第１のジグソーパズルＰ１に描かれている宮殿とその周囲部分を、そのまま描写したものである。また、第３のジグソーパズルＰ３の宮殿の一部・樹木の一部の図柄は、第１のジグソーパズルＰ１に描かれている宮殿の一部（第２のジグソーパズルＰ２に描かれている宮殿の一部を含む）と樹木の一部を、そのまま描写したものである。
【００７３】
その為、遊戯者は、手に持っているピースの図柄を見ただけでは、第１のジグソーパズルＰ１のものか、第２のジグソーパズルＰ２のものか、第３のジグソーパズルＰ３のものか解らないため、それらの組み付けの難易度が一層向上している。
【００７４】
尚、完成時に所定の大きさに形成される複数のジグソーパズルとして、図示していない第４のジグソーパズルＰ４、第５のジグソーパズルＰ５、第６のジグソーパズルＰ６…等が含まれることは、言うまでもない。
【００７５】
また、本考案に係るジグソーパズルＰについて、完成時に所定の大きさに形成される、多数の第１ピースＦから成る第１のジグソーパズルＰ１と、この第１のジグソーパズルＰ１に用いられることのない、他のピースから構成されるものとして理解しても良い。
【００７６】
他のピースは、第１ピースＦと凹凸のパターン形状が若干異なっており、ピースを組み付ける前の状態において、多数の第１ピースＦと他のピースが混在しているものである。
【産業上の利用可能性】
【００７７】
本考案に係るジグソーパズルは、遊戯用の玩具として使用することの他に、知的教育用具として使用する等、様々な分野において幅広く利用することができる。
【符号の説明】
【００７８】
Ｐ…ジグソーパズル
Ｐ１…第１のジグソーパズル
Ｆ…第１ピース
Ｐ２…第２のジグソーパズル
Ｓ…第２ピース
Ｐ３…第３のジグソーパズル
【図１】
0003155675.tif 000003
【図２】
0003155675.tif 000004
【図３】
0003155675.tif 000005
【図４】
0003155675.tif 000006
【図５】
0003155675.tif 000007
【図６】
0003155675.tif 000008
【図７】
0003155675.tif 000009
【図８】
0003155675.tif 000010
【図９】
0003155675.tif 000011